(57)【要約】【課題】立て看板を道路の通行方向に対して傾斜した状態で路側防護柵に対して容易かつ確実に取り付けることができる看板取付装置を提供する。【解決手段】路側防護柵Ｇのガードパイプｇ２の延長方向の前後に配置固定される看板引付側掛止金具１および看板押出側掛止金具２を備える。看板引付側掛止金具１の短尺支持アーム４と、看板押出側掛止金具２の長尺支持アーム７の各先端部分には立て看板Ｋの側端部が嵌合される看板嵌合部４ｂ，７ｃがそれぞれ形成されている。また看板押出側掛止金具２の長尺支持アーム７は、ガードパイプｇ２の延長方向に直交する方向に向けての長さが短尺支持アーム４の場合よりも長尺になるように設定されている。【選択図】　図３
0003099448.tif 000002
【実用新案登録請求の範囲】
【請求項１】
路側に沿って配置された路側防護柵に対して立て看板を取り付けるための立て看板取付装置であって、
前記路側防護柵の延長方向の前後に配置される看板引付側掛止金具および看板押出側掛止金具を備え、前記看板引付側掛止金具は、前記路側防護柵をクランプするクランプ手段と、このクランプ手段に取り付けられた短尺支持アームとからなり、この短尺支持アームは、その先端部分に前記立て看板の一方の側端部が嵌合される看板嵌合部が形成され、また、前記看板押出側掛止金具は、前記路側防護柵をクランプするクランプ手段と、このクランプ手段に取り付けられた長尺支持アームとからなり、この長尺支持アームは、その先端部分に前記立て看板の他方の側端部が嵌合される看板嵌合部が形成されるとともに、前記クランプ手段の取り付け位置から前記看板嵌合部に至るまでの路側防護柵の延長方向に直交する方向に向けての長さが前記短尺支持アームの場合よりも長尺になるように設定されている、ことを特徴とする立て看板取付装置。
【請求項２】
前記看板押出側掛止金具の長尺支持アームは、その基端部と先端部との間に補強部材が介設されていることを特徴とする請求項１記載の立て看板取付装置。
【請求項３】
請求項１または請求項２記載の立て看板取付装置における前記クランプ手段がパイプクランプで構成され、かつ、前記路側防護柵がガードレールで構成される場合に適用されるもので、前記ガードレールをクランプするキャッチクランプと、このキャッチクランプに一体的に連結されたパイプクランプとを備えることを特徴とする立て看板取付装置用アタッチメント。
【考案の詳細な説明】
【０００１】
【考案の属する技術分野】
本考案は、路側防護柵に立て看板を確実に取り付けることができる立て看板取付装置、およびこれに用いるアタッチメントに関する。
【０００２】
【従来の技術】
一般に、道路の途中において、道路工事や交通規制がされているような場合には、安全性を確保するために、その現場に至る前の適宜場所の路側に立て看板を設置して運転者や歩行者等に対して予め注意を促すことが必要となる。
【０００３】
従来、このような立て看板を路側に設置するには、例えば、立て看板の裏面側に開閉脚を設け、この開閉脚を開いた状態で路面に設置したり、あるいは、路側に沿って配置された路側防護柵のガードパイプやガードレールなどに添え木や針金などを用いて立て看板を取り付けることが行われている。
【０００４】
【考案が解決しようとする課題】
しかしながら、前者のように、開閉脚を設けたものでは、開閉脚を開くだけで立て看板を路面に簡単に設置できる利点があるが、風の強いときなどには倒れ易くて不安定であり、一旦、倒れてしまうとこの立て看板が通行の邪魔になってしまう。立て看板に砂袋等の重りを別途取り付けると有る程度の安定性は得られるが、それでも不安定であることは免れず、風の強いときは依然として転倒する恐れがある。
【０００５】
一方、後者のように、立て看板を路側防護柵に添え木や針金などを用いて固定するには手間と時間がかかるだけでなく、確実に固定するのが難しい。特に、立て看板が通行の邪魔にならず、かつ運転者や歩行者に対してある程度目立つように設置するには、道路の通行方向に対して斜めに配置することが好ましいが、従来のように添え木や針金を用いて立て看板を斜めに設置するのは難しく、設置角度を調整するのにも手間がかかっている。しかも、立て看板が不必要となって撤去する必要が生じた場合にも取り外しに手間取って不便であった。
【０００６】
本考案は、上記の課題に鑑み、立て看板を道路の通行方向に対して傾斜した状態で路側防護柵に対して容易かつ確実に取り付けることができ、しかも、取り外しも簡単に行える立て看板取付装置およびこれに用いるアタッチメントを提供することを目的とする。
【０００７】
【課題を解決するための手段】
上記の目的を達成するために、本考案は次の構成を採る。すなわち、請求項１記載の考案に係る立て看板取付装置は、路側防護柵の延長方向の前後に配置される看板引付側掛止金具および看板押出側掛止金具を備え、前記看板引付側掛止金具は、前記路側防護柵をクランプするクランプ手段と、このクランプ手段に取り付けられた短尺支持アームとからなり、この短尺支持アームは、その先端部分に前記立て看板の一方の側端部が嵌合される看板嵌合部が形成され、また前記看板押出側掛止金具は、前記路側防護柵をクランプするクランプ手段と、このクランプ手段に取り付けられた長尺支持アームとからなり、この長尺支持アームは、その先端部分に前記立て看板の他方の側端部が嵌合される看板嵌合部が形成されるとともに、前記クランプ手段の取り付け位置から前記看板嵌合部に至るまでの路側防護柵の延長方向に直交する方向に向けての長さが前記短尺支持アームの場合よりも長尺になるように設定されている、ことを特徴としている。
【０００８】
請求項２記載の考案に係る立て看板取付装置は、請求項１記載の考案の構成において、前記看板押出側掛止金具の長尺支持アームは、その基端部と先端部との間に補強部材が介設されていることを特徴としている。
【０００９】
請求項３記載の考案に係る立て看板取付装置用のアタッチメントは、請求項１または請求項２記載の立て看板取付装置における前記看板引付側および看板押出側の両掛止金具が備える前記クランプ手段がパイプクランプで構成され、かつ、前記路側防護柵が帯板状のガードレールである場合に適用されるものであって、前記ガードレールをクランプするキャッチクランプと、このキャッチクランプに一体的に連結されたパイプクランプとを備えることを特徴としている。
【００１０】
【考案の実施の形態】
図１は本考案の立て看板取付装置を用いて立て看板を路側防護柵に取り付けた状態を立て看板の表側から見た斜視図、図２は本考案の立て看板取付装置を用いて立て看板を路側防護柵に取り付けた状態を立て看板の裏側から見た斜視図である。図３は本考案の立て看板取付装置を用いて立て看板を路側防護柵に取り付けた状態を示す平面図、図４は本考案の立て看板取付装置を用いて立て看板を路側防護柵に取り付けた状態を図４の矢印Ａ側から見た一部切欠側面図である。また、図５は本考案の立て看板取付装置を構成する看板引付側掛止金具を示す斜視図、図６は立て看板取付装置を構成する看板押出側掛止金具を示す斜視図である。
【００１１】
この実施の形態における立て看板取付装置は、路側防護柵Ｇに立て看板Ｋを取り付ける際に使用されるものである。この場合の路側防護柵Ｇは、路側に沿って互いに所定間隔を存して立設された支柱ｇ１と、各支柱ｇ１間に架設される上下複数本のガードパイプｇ２と、各ガードパイプ２ｇを支柱ｇ１に固定する固定金具ｇ３とから構成されている。
【００１２】
そして、この実施の形態の立て看板取付装置は、路側防護柵Ｇを構成するガードパイプｇ２の延長方向の前後に配置される看板引付側掛止金具１および看板押出側掛止金具２を備えている。
【００１３】
看板引付側掛止金具１は、路側防護柵Ｇのガードパイプｇ２をクランプするクランプ手段としてのパイプクランプ３と、このパイプクランプ３に取り付けられた短尺支持アーム４とからなる。
【００１４】
パイプクランプ３は、クランプ本体３ａと、このクランプ本体３ａに開閉自在に枢着された抱着体３ｂと、両者３ａ，３ｂを連結してガードパイプｇ２をクランプするナット３ｃ付きのクランプボルト３ｄとを備えており、その構造は周知のものである。そして、クランプ本体３ａがボルト５とナット６によって短尺支持アーム４に連結されている。
【００１５】
短尺支持アーム４は、平板材を成形加工したもので、パイプクランプ３が取り付けられル平面視略Ｌ字形の基部４ａと、この基部４ａの先端側にあって立て看板Ｋの一方の側端部が嵌合される平面視略コ字形の看板嵌合部４ｂとを有する。
【００１６】
一方、看板押出側掛止金具２は、看板引付側掛止金具１の場合と同じ構成のパイプクランプ３と、このパイプクランプ３に取り付けられた長尺支持アーム７とからなる。そして、パイプクランプ３のクランプ本体３ａがボルト５とナット６によって長尺支持アーム７の基部７ａに連結されている。
【００１７】
また、長尺支持アーム７は、平板材を成形加工したもので、パイプクランプ３が取り付けられてこれを囲むように形成された平面視コ字形の基部７ａと、この基部７ａから延設された平面視略へ字形の延長部７ｂと、この延長部７ｂの先端側にあって立て看板Ｋの他方の側端部が嵌合される平面視略コ字形の看板嵌合部７ｃとを有する。
【００１８】
そして、この長尺支持アーム７は、そのパイプクラン３の取り付け位置から看板嵌合部７ｃに至るまでのガードパイプ２ｇの延長方向に直交する方向に向けての長さが短尺支持アーム４の場合よりも長尺になるように設定されている、さらに、この長尺支持アーム７は、その基部７ａと延長部７ｂの先端側部分との間に補強部材８が溶接等によって固着されている。
【００１９】
次に、上記構成を有する立て看板取付装置を用いて、立て看板Ｋを路側防護柵Ｇのガードパイプｇ２に固定する場合の手順について説明する。
【００２０】
例えばガードパイプｇ２が上下方向３列に配置されている場合には、予め２つの看板引付側掛止金具１と１つの看板押出側掛止金具２とを準備する。
【００２１】
次に、各看板引付側掛止金具１を上下のガードパイプｇ２の上下略同じ位置にパイプクランプ３によって固定する。その際のパイプクランプ３による固定は、抱着体３ｂを開いた状態でクランプ本体３ａをガードパイプｇ２に係合させた後、抱着体３ｂを閉じてクランプボルト３ｄに螺合されているナット３ｃを締め付けることによって行う。そして、立て看板Ｋの一方の側端部を上下の各看板引付側掛止金具１の看板嵌合部４ｂに嵌合する。
【００２２】
続いて、看板押出側掛止金具２の看板嵌合部７ｃを立て看板Ｋの他方の側端部に嵌合するとともに、この看板押出側掛止金具２を中央のガードパイプ２ｇにパイプクランプ３によって固定する。この場合のパイプクランプ３による固定は、看板引付側掛止金具１を上下のガードパイプｇ２に固定する場合と同じ手順により行う。
【００２３】
これにより、２つの看板引付側掛止金具１および１つの看板押出側掛止金具２の各看板嵌合部４ｂ，７ｃによって立て看板Ｋが路側防護柵Ｇのガードパイプｇ２に確実に位置決め固定される。このため、風が強いときにも立て看板Ｋが不意に倒れる恐れがない。しかも、立て看板Ｋは道路の通行方向に対して所定の角度θだけ傾いた状態で固定されるので、立て看板Ｋが通行の邪魔にならず、かつ運転者や歩行者に対して目立つように設置されることになる。
【００２４】
また、立て看板Ｋの設置が不要になったときには、看板引付側および看板押出側の両掛止金具１，２のパイプクランプ３をガードパイプｇ２から取り外すと、立て看板Ｋを容易に撤去することができる。
【００２５】
上記の実施の形態では、上下方向３列に配置されている各々のガードパイプｇ２に対して各掛止金具１，２を個別に取り付ける場合について説明したが、各看板押出側掛止金具１が固定された上下２本のガードパイプｇ２の内の１本のガードパイプｇ２に対して看板押出側掛止金具２を一定距離を離して同時に取り付けることもできる。
【００２６】
また、この実施の形態では、路側防護柵Ｇを構成するガードパイプｇ２に対して立て看板Ｋを取り付けたが、ガードパイプｇ２の代わりにガードケーブルが使用されている場合にも、この実施の形態の立て看板取付装置を適用して立て看板を固定することが可能である。
【００２７】
しかし、支柱ｇ１間に架設されるのがガードパイプｇ２やガードケーブルではなくて波板状のガードレールの場合、上記のような各掛止金具１，２が備えるパイプクランプ３を介して立て看板Ｋをガードレールに固定することが難しい。そこで、このような場合には、次のようなアタッチメントが適用される。
【００２８】
図７は立て看板取付装置に適用されるアタッチメントを一部切欠して示す側面図、図８はこのアタッチメントと上記の立て看板取付装置とを組み合わせて路側防護柵のガードレールに立て看板を固定した状態を示す斜視図である。
【００２９】
この実施の形態におけるアタッチメント１１は、路側防護柵Ｇの支柱ｇ１間に架設されたガードレールｇ４に固定されるキャッチクランプ１２と、このキャッチクランプ１２にボルト１３およびナット１４で一体的に連結されたパイプクランプ１５とを備えている。キャッチクランプ１２は、略コ字形の本体１６と、これに螺合された締結ボルト１７とからなる周知構造のものである。また、パイプクランプ１５は、前述の両掛止金具１，２に使用されているパイプクランプ３と同じ構造のものである。
【００３０】
このアタッチメント１１および立て看板取付装置を組み合わせて立て看板Ｋをガードレールｇ４に取り付けるには、まず、ガードレールｇ４の上端および下端のそれぞれにおいて、アタッチメント１１をガードレールｇ４の延長方向に沿った前後複数箇所にキャッチクランプ１２によって固定する。
【００３１】
次に、これらのアタッチメント１１のパイプクランプ１５によって中継パイプ１８をクランプする。これにより、中継パイプ１８はガードレールｇ４の延長方向に沿って配置されるので、引き続いて、この中継パイプ１８に看板引付側掛止金具１および看板押出側掛止金具２を取り付けて立て看板Ｋを固定する。その際の取り付け手順は上述した場合と同様であるから、ここでは詳しい説明は省略する。
【００３２】
【考案の効果】
本考案によれば、次の効果を奏する。
（１）請求項１記載の考案に係る立て看板取付装置は、看板引付側掛止金具および看板押出側掛止金具の各看板嵌合部によって立て看板が路側防護柵に対して確実に位置決め固定される。このため、風が強いときにも立て看板が不意に倒れる恐れがない。しかも、立て看板は道路の通行方向に対して所定角度だけ傾いた状態で固定されるので、立て看板が通行の邪魔にならず、かつ運転者や歩行者に対して目立つように設置されるので、立て看板の機能が十分に発揮される。また、立て看板の設置が不要になったときには、看板引付側よび看板押出側の両掛止金具のパイプクランプをガードパイプから取り外すと、立て看板を容易に撤去することができる。
【００３３】
（２）請求項２記載の考案に係る立て看板取付装置は、請求項１記載の考案の効果に加えて、看板押出側掛止金具の長尺支持アームは、その基部と延長部とのとの間に補強部材が介設されているので強度が向上し、外力が加わっても殆ど変形することがないので、立て看板をさらに一層確実に固定することが可能になる。
【００３４】
（３）請求項３記載の考案に係るアタッチメントは、請求項１，２記載の構成を備えた立て看板取付装置におけるクランプ手段がパイプクランプで構成され、かつ、路側防護柵がガードレールで構成される場合にも、立て看板を確実に路側防護柵に固定することが可能になり、立て看板取付装置の利用分野を広めることができる。
【図面の簡単な説明】
【図１】本考案の立て看板取付装置を用いて立て看板を路側防護柵に取り付けた状態を立て看板の表側から見た斜視図である。
【図２】本考案の立て看板取付装置を用いて立て看板を路側防護柵に取り付けた状態を立て看板の裏側から見た斜視図である。
【図３】本考案の立て看板取付装置を用いて立て看板を路側防護柵に取り付けた状態を示す平面図である。
【図４】本考案の立て看板取付装置を用いて立て看板を路側防護柵に取り付けた状態を図４の矢印Ａ側から見た一部切欠側面図である。
【図５】本考案の立て看板取付装置を構成する看板引付側掛止金具を示す斜視図である。
【図６】図６は立て看板取付装置を構成する看板押出側掛止金具を示す斜視図である。
【図７】本考案の立て看板取付装置に適用されるアタッチメントを一部切欠して示す側面図である。
【図８】図７のアタッチメントと立て看板取付装置とを組み合わせて路側防護柵のガードレールに立て看板を固定した状態を示す斜視図である。
【符号の説明】
Ｇ　　路側防護柵
ｇ２　　ガードパイプ
ｇ４　　ガードレール
Ｋ　　立て看板
１　　看板引付側掛止金具
２　　看板押出側掛止金具
３　　パイプクランプ
４　　短尺支持アーム
４ａ　基部
４ｂ　看板嵌合部
７　　長尺支持アーム
７ａ　基部
７ｂ　延長部
７ｃ　看板嵌合部
８　　補強部材
１１　　アタッチメント
１２　　キャッチクランプ
１５　　パイプクランプ
１８　　中継パイプ
【図１】
0003099448.tif 000003
【図２】
0003099448.tif 000004
【図３】
0003099448.tif 000005
【図４】
0003099448.tif 000006
【図５】
0003099448.tif 000007
【図６】
0003099448.tif 000008
【図７】
0003099448.tif 000009
【図８】
0003099448.tif 000010